(57)【要約】【課題】盗難防止手段を備えていることを利用客に感じさせない構造・外観で、温浴施設の設備を損傷させることがなく、大がかりな工事も不要な化粧用容器の保持装置を提供すること。【解決手段】化粧用容器の保持装置１０は、一例としてヘアケア用のムースなどを収容した複数（３本）の化粧用容器１１を底基板１２に載置し、これらの化粧用容器１１を保持部１３でまとめて保持する装置である。この底基板１２には、底基板１２が持ち上げられたことを検知する検知部として光センサ１４が内蔵されるとともに、この光センサ１４からの検知信号に基づいて音響を発生する音響発生部１５が内蔵されている。【選択図】　図１
2004026205.tif 000002
【特許請求の範囲】
【請求項１】
底基板と保持部で化粧用容器の保持装置を構成し、ヘアケア用のムースなどを収容した化粧用容器を底基板に載置し、これら化粧用容器の複数本を保持部でまとめて保持できるようにした化粧用容器の保持装置であって、
前記底基板がセット所定位置から持ち上げられたことを検知する検知部と、この検知部からの検知信号に基づいて音響を発生する音響発生部を底基板に備えたことを特徴とする化粧用容器の保持装置。
【請求項２】
前記検知部は、前記保持装置がセット所定位置から持ち上げられたときに、光を検知する光センサであることを特徴とする請求項１記載の化粧用容器の保持装置。
【請求項３】
前記検知部は、前記保持装置がセット所定位置に置かれている場合には、自重でスイッチが押し込まれた状態でオフになり、保持装置がセット所定位置から持ち上げられた場合には、スイッチが底基板から下方に突出した状態になってオンになるオン・オフスイッチであることを特徴とする請求項１記載の化粧用容器の保持装置。
【請求項４】
前記音響発生部は、化粧料の利用客に不快感を与えないように、美しいメロディや穏やかなアナウンスを発生するようになっていることを特徴とする請求項１乃至３の何れかに記載の化粧用容器の保持装置。
【請求項５】
前記底基板の左右端にそれぞれ左右のロッドを立て、これら左右のロッドの上端に上蓋部を取り付け、この上蓋部に形成された嵌入孔から前記化粧用容器の取出口を上方に突出させるように位置させ、この上蓋部で化粧用容器の上端部を押え付けるようにセットすることを特徴とする請求項１乃至４の何れかに記載の化粧用容器の保持装置。
【請求項６】
前記底基板に側壁を立てるとともに側壁の上端に上蓋部を備えることにより、前記底基板、側壁及び上蓋部で箱体を構成し、この箱体内に前記化粧用容器を保持するとともに、この上蓋部に形成された嵌入孔から前記化粧用容器の取出口を上方に突出させるようにセットすることを特徴とする請求項１乃至５の何れかに記載の化粧用容器の保持装置。
【発明の詳細な説明】
【０００１】
【発明の属する技術分野】
本発明は化粧用容器の保持装置に係り、特に、温浴施設などに複数の化粧用容器をまとめて備え置くことができ、さらに盗難防止手段を備えている化粧用容器の保持装置に関する。
【０００２】
【従来の技術】
例えば、ホテル、ゴルフ場、健康ランドあるいはサウナなどの温浴施設では、ヘアケア用のムースなどを収容した化粧用容器を、まとめて備え置きするための化粧用容器の保持装置が使用されている。
上記の温浴施設の経営者等は、利用客に温浴施設の高級感イメージを植え付けるため、この化粧用容器の保持装置に高級な化粧品を備えたいと考えている。
【０００３】
しかしながら、化粧用容器の保持装置に高級化粧品を備えると、利用客がその化粧用容器の保持装置を密かに持ち帰ってしまうこと、すなわち、化粧用容器の保持装置全体が盗難にあうことが考えられる。特に高級化粧品を備えた化粧用容器の保持装置にあっては、被害額が大きくなるという心配があった。
そのため、経営者は化粧用容器の保持装置に高級化粧品を使用すれば利用客が良いイメージを持つことは分っていながら、そのような高級化粧品を備え置きすることを控えているという背景があった。
【０００４】
そこで、温浴施設の化粧用容器の保持装置に高級化粧品を備えた際に、その化粧用容器の保持装置が盗難にあわないようにするために、盗難防止手段を備えることとした。
【０００５】
【発明が解決しようとする課題】
しかし、盗難防止手段が露骨であると温浴施設のイメージが悪くなるので、その盗難防止目的を利用客に感じさせない構造・外観を採用することが要求されてきたが、現在に至るまで効果的な商品は存在しないというのが現状であった。
【０００６】
さらに、盗難防止手段が温浴施設の設備（洗面台、壁面など）を損傷しないことや、大がかりな工事（経費負担）が不要であることも要求される。
【０００７】
本発明は、盗難防止手段を備えていることを利用客に感じさせない構造・外観であり、温浴施設の設備を損傷させず、また大がかりな工事が不要な化粧用容器の保持装置を提供して、上述の全ての問題点を解消しようとするものである。
【０００８】
【課題を解決するための手段】
上記目的を達成するために請求項１は、底基板と保持部で化粧用容器の保持装置を構成し、ヘアケア用のムースなどを収容した化粧用容器を底基板に載置し、これら化粧用容器の複数本を保持部でまとめて保持できるようにした化粧用容器の保持装置であって、前記底基板がセット所定位置から持ち上げられたことを検知する検知部と、この検知部からの検知信号に基づいて音響を発生する音響発生部を底基板に備えたことを特徴とする。
【０００９】
上記した本発明に係る化粧用容器の保持装置によれば、検知部を底基板に備えるとともに、音響発生部を底基板に内蔵したため、保持装置の底基板が持ち上げられたことを検知部で検知した場合には、検知部からの検知信号に基づいて音響発生部から警報の意味を持つ音響を発生させることとなる。
【００１０】
検知部や音響発生部を底基板に備えることで、これらの盗難防止手段を利用客から見えないようにでき、また検知部を底基板に備えるとともに、音響発生部を底基板に内蔵するだけの構成なので、温浴施設の設備を損傷させることもない。
【００１１】
請求項２は、前記検知部は、前記保持装置がセット所定位置から持ち上げられたときに、光を検知する光センサであることを特徴とする。
【００１２】
検知部を光センサで構成することで、検知部を比較的簡単に保持装置の底基板に取り付けることができるようになる。
【００１３】
請求項３は、前記検知部は、前記保持装置がセット所定位置に置かれている場合には、自重でスイッチが押し込まれた状態でオフになり、保持装置がセット所定位置から持ち上げられた場合には、スイッチが底基板から下方に突出した状態になってオンになるオン・オフスイッチであることを特徴とする。
【００１４】
検知部をオン・オフスイッチで構成することで、保持装置の底基板を持ち上げた場合に、検知部を確実に作動させるようにすることができる。
【００１５】
請求項４は、前記音響発生部は、化粧料の利用客に不快感を与えないように、美しいメロディや穏やかなアナウンスを発生するようになっていることを特徴とする。
【００１６】
音響発生部からの発生音を、美しいメロディや穏やかなアナウンスにすることで、万が一利用客が保持装置を持ち上げて音響発生部が作動したとしても、その利用客に不快感を植え付けることなく、疑わしい行動を止めることを警告できることとなる。
【００１７】
請求項５は、前記底基板の左右端にそれぞれ左右のロッドを立て、これら左右のロッドの上端に上蓋部を取り付け、この上蓋部に形成された嵌入孔から前記化粧用容器の取出口を上方に突出させるように位置させ、この上蓋部で化粧用容器の上端部を押え付けるようにセットすることを特徴とする。
【００１８】
保持部を左右のロッドと上蓋部とでスマートに構成することで、デザイン性に優れたものとすることができる。
【００１９】
請求項６は、前記底基板に側壁を立てるとともに側壁の上端に上蓋部を備えることにより、前記底基板、側壁及び上蓋部で箱体を構成し、この箱体内に前記化粧用容器を保持するとともに、この上蓋部に形成された嵌入孔から前記化粧用容器の取出口を上方に突出させるようにセットすることを特徴とする。
【００２０】
保持部を箱体に構成し、この箱体内に化粧用容器を保持することで、化粧用容器を箱体で隠すことができ、箱体のデザイン性を高めることができる。
【００２１】
【発明の実施の形態】
以下添付図面に従って、本発明に係る化粧用容器の保持装置の一実施の形態を詳説する。
図１は本発明に係る化粧用容器の保持装置の第１実施の形態の斜視図、図２は同第１実施の形態の要部の斜視図、図３は同第１実施の形態の底面図、図４は同第１実施の形態の保持部を着脱する例を示す説明図、図５は同第１実施の形態の保持部を外す例を示す説明図、図６は同第１実施の形態の保持装置をセット所定位置から持ち上げた例を示す説明図である。
【００２２】
図１に示す化粧用容器の保持装置１０は、一例としてヘアケア用のムースなどを収容した複数（３本）の化粧用容器１１を底基板１２に載置し、これらの化粧用容器１１を保持部１３でまとめて保持するようにした装置である。
【００２３】
この底基板１２には、底基板１２がセット所定位置から持ち上げられたことを検知する検知部として光センサ１４が内蔵されるとともに、この光センサ１４からの検知信号に基づいて音響を発生する音響発生部１５が内蔵されている。
【００２４】
底基板１２は、一例として略矩形に形成されたプレート状の台部材で、その表面に木目模様が表示されている高級な部材である。この底基板１２には、左右端１６，１７が円弧状に形成され、底面１８には周縁に沿ってシール材１９（図２、図３参照）が配置されている。
【００２５】
また、図２に示すように底基板１２の中央には光センサ１４が内蔵されている。この光センサ１４はセンサ面１４ａが下方を向くように取り付けられるとともに、底面１８の開口１８ａ（図３参照）に臨むように取り付けられている。
【００２６】
このため、底基板１２が、例えば洗面台（図示せず）に載せられているような状態のときには、シール材１９で光を遮ることができ、光センサ１４のセンサ面１４ａに光が到達することはないので、光センサ１４をオフの状態に保つことができる。
【００２７】
一方、底基板１２が、例えば洗面台から持ち上げられた場合には、光センサ１４のセンサ面１４ａに光が届くため、光センサ１４はオンの状態に切り替えられることとなる。
検知部として光センサ１４を使用することで、検知部を比較的簡単に保持装置１０の底基板１２に取り付けることができ、この点で設計の自由度を高めることができる。
【００２８】
また、底基板１２には、一例として右端寄りに音響発生部１５が備えられ、音響発生部１５に対向する底面１８には複数の孔１８ｂ（図３参照）が形成されている。
この音響発生部１５は、光センサ１４が光を検知した際に、光センサ１４から送られる検知信号に基づいて音響を発生させる。
音響発生部１５から発生される音響は、利用客に不快感を与えないように、一例として美しいメロディや穏やかなアナウンスに設定されている。
【００２９】
光センサ１４や音響発生部１５を底基板１２に内蔵することで、これらの盗難防止手段を利用客から見えないように構成することができる。
また、光センサ１４を底基板１２に内蔵するとともに、音響発生部１５を底基板１２に内蔵するだけの構成で盗難防止が可能となるので、温浴施設の設備を損傷させるような構成とはなっておらず、さらに大がかりな工事を行う必要もない。
【００３０】
保持部１３は、図１に示すように底基板１２の左右端１６，１７にそれぞれ左右のロッド２０を立設し、これら左右のロッド２０の上端２０ａに上蓋部２１が取り付けられるようになっている。
この上蓋部２１に形成された嵌入孔２２から化粧用容器１１の取出部（取出口）２３を上方に突出させるとともに、この上蓋部２１が化粧用容器１１の上端部１１ａを押え付けられるようになっている。
【００３１】
保持部１３を左右のロッド２０と上蓋部２１とでスマートに構成するようになっているので、保持装置をデザイン性に優れたものとすることができ、利用客には高級感を植えつけることも可能となる。
【００３２】
左右のロッド２０は、一例としてステンレス製の中空の筒体であり、筒体の上端は上蓋部２１の取付孔２２ａに合わせられた状態に配置される。
上蓋部２１は、透明な樹脂素材で形成され、その両端に取付孔２２ａが形成された部材である。
【００３３】
上蓋部２１の取付孔２２ａからロッド２０内の中空部に取付ねじ２６を差し込んだ後、図４に示すように取付ねじ２６の頭部２７にドライバー２５をセットした状態で、このドライバー２５を矢印Ａ方向（時計回り方向）に回すことにより、取付ねじ２６の先端２８（図５参照）を底基板１２のねじ孔１２ａ（図５参照）にねじ結合することができる。
【００３４】
このようにして、取付ねじ２６の頭部２７で上蓋部２１を押え付けて、左右のロッド２０を介して上蓋部２１を底基板１２に固定することができる。
【００３５】
また底基板１２に左右のロッド２０を介して上蓋部２１を固定することで、底基板１２と上蓋部２１との間に配置した複数（一例として３本）の化粧用容器１１の上端部１１ａを、上蓋部２１で押え付けることができる。
これにより、保持部１３で複数の化粧用容器１１を確実に保持でき、化粧用容器１１が保持装置より抜け出すことを防止できる。
【００３６】
化粧用容器１１の中味を交換する際には、図４に示すようにドライバー２５を矢印Ｂ方向（反時計回り方向）に回すことにより、取付ねじ２６の先端２８（図５参照）を底基板１２から外すこととなる。
つぎに、図５に示すように保持部１３（左右のロッド２０及び上蓋部）２１を矢印Ｃの方向に持ち上げて、化粧用容器１１を取り出して中味を交換する。
【００３７】
この化粧用容器の保持装置１０は、光センサ１４を底基板１２に備えるとともに、音響発生部１５を底基板１２に内蔵したので、図６に示すように化粧用容器の保持装置１０がセット所定位置（例えば、洗面台）から持ち上げられて、底基板１２が洗面台（図示せず）から浮き上がると、光センサ１４は光を検知する。
光センサ１４が光を検知すると、検知信号が発せられ、この検知信号に基づいて音響発生部１５が音響を発生させるので、発せられた音響が盗難を防止させる警報となるため、盗難防止効果を発揮することとなる。
【００３８】
また、音響発生部１５からの発生音を、美しいメロディや穏やかなアナウンスにすることで、万が一利用客が化粧用容器の保持装置１０を誤って持ち上げてしまった場合でも、音響発生部１５から発せられる音響は、利用客に不快感を植え付けるものではないので、大きな問題となることはない。
【００３９】
つぎに、第２実施の形態について説明する。なお、第２実施の形態において第１実施の形態と同一部材については同一符号を付して説明を省略する。
図７に示す化粧用容器の保持装置５０は、ヘアケア用のムースなどを収容した複数（３本）の化粧用容器１１を底基板１２に載置し、これらの化粧用容器１１を保持部５１でまとめて保持するようにした装置である。
【００４０】
ここで保持部５１は、底基板１２に前後左右の側壁５２〜５５を立てるとともに側壁５２〜５５の上端に上蓋部５６を備えるようになっている。
底基板１２に、側壁５２〜５５及び上蓋部５６を備えることで箱体を構成し、この箱体内に化粧用容器１１を保持するとともに、この上蓋部５６に形成された嵌入孔５７から化粧用容器１１の取出部（取出口）２３を上方に突出させるようにする。
【００４１】
化粧用容器１１は、ベルト５８で側壁５２〜５５のうちの少なくとも一つの側壁に固定されるようになっている。
化粧容器１１の中味を交換する際には、例えば左右の側壁５４，５５に備えたロック部材５９（右側は図面に現れていない）のロックを解除して、左右の側壁５４，５５から後側壁５３を外すことにより、化粧用容器１１を取り出すことができる。
【００４２】
第２実施の形態によれば、第１実施の形態と同様の効果を得ることができる。
加えて、保持部５１を箱体として、この箱体内に化粧用容器１１を保持することで、化粧用容器１１を箱体で隠すことができ、この箱体のデザイン性を高めることで、化粧用容器の保持装置５０を高級感の漂うものにすることもできる。
【００４３】
なお、前記実施の形態では、検知部として光センサ１４を使用した例を説明したが、その他の検知部として、例えばオン・オフスイッチを使用することも可能である。
【００４４】
このオン・オフスイッチは、化粧用容器の保持装置が、例えば化粧台に置かれている場合には、スイッチが化粧台に押し込まれて保持装置の内部に納められているためオフになり、化粧用容器の保持装置が持ち上げられたときには、スイッチが自重で下方に突出するためオンになる。
【００４５】
検知部をオン・オフスイッチとすることで、化粧用容器の保持装置を持ち上げた場合に、オン・オフスイッチを確実に作動させることができ、より信頼性の高い盗難防止手段を得ることができる。
【００４６】
また、前記実施の形態では、化粧用容器１１に、一例としてヘアケア用のムースなどの化粧料を収容した例について説明したが、化粧料の種類はこれに限られるものではない。
【００４７】
【発明の効果】
以上述べたように、請求項１による化粧用容器の保持装置によれば、検知部を底基板に備えるとともに、音響発生部を底基板に内蔵したため、保持装置の底基板が持ち上げられたことを検知部で検知し、この検知部からの検知信号に基づいて音響発生部が音響を発生して盗難を防止することができる。
【００４８】
検知部や音響発生部を底基板に備えることで、これらの盗難防止手段を利用客から見えないように構成することができる。
また、検知部を底基板に備えるとともに、音響発生部を底基板に内蔵するだけの構成で盗難防止手段が可能なので、温浴施設の設備を損傷させることはない上、、さらに大がかりな工事も不要になる。
【００４９】
請求項２は、検知部を光センサとすることで、検知部を比較的簡単に保持装置の底基板に取り付けることができ、保持装置全体の設計の自由度を高めることができる。
【００５０】
請求項３は、検知部をオン・オフスイッチとすることで、保持装置の底基板を持ち上げた場合に、検知部を確実に作動させることができ、より信頼性の高い盗難防止手段を得ることができる。
【００５１】
請求項４は、音響発生部からの発生音を、美しいメロディや穏やかなアナウンスにすることで、万が一利用客が保持装置を持ち上げてしまって音響発生部が作動したとしても、利用客に不快感を与えないようにできる。
【００５２】
請求項５は、保持部を左右のロッドと上蓋部とでスマートに構成することで、保持装置をデザイン性に優れたものとすることができ、利用客に高級感を植え付けられるようになる。
【００５３】
請求項６は、保持部を箱体とすることができ、この箱体内に化粧用容器を保持することで、化粧用容器を箱体で隠すことができるので、箱体のデザイン性を高めることで、保持装置が高級品であるとのイメージを利用客に植え付けることができる。
【図面の簡単な説明】
【図１】本発明に係る化粧用容器の保持装置の第１実施の形態の斜視図である。
【図２】同第１実施の形態の要部の斜視図である。
【図３】同第１実施の形態の底面図である。
【図４】同第１実施の形態の保持部を着脱する例を示す説明図である。
【図５】同第１実施の形態の保持部を外す例を示す説明図である。
【図６】同第１実施の形態の保持装置を持ち上げた例を示す説明図である。
【図７】本発明に係る化粧用容器の保持装置の第２実施の形態の斜視図である。
【符号の説明】
１０，５０…化粧用容器の保持装置
１１…化粧用容器
１１ａ…上端部
１２…底基板
１２ａ…ねじ孔
１３，５１…保持部
１４…光センサ（検知部）
１４ａ…センサ面
１５…音響発生部
１６…左端
１７…右端
１８…底面
１８ａ…開口
１８ｂ…孔
１９…シール材
２０…左右のロッド
２０ａ…上端
２１，５６…上蓋部
２２，５７…嵌入孔
２２ａ…取付孔
２３…取出部（取出口）
２５…ドライバー
２６…取付ねじ
２７…頭部
２８…先端
５２〜５５…前後左右の側壁
５８…ベルト
５９…ロック部材
【図１】
2004026205.tif 000003
【図２】
2004026205.tif 000004
【図３】
2004026205.tif 000005
【図４】
2004026205.tif 000006
【図５】
2004026205.tif 000007
【図６】
2004026205.tif 000008
【図７】
2004026205.tif 000009